(57)【要約】      （修正有）【課題】空力騒音を低減し、一次脈動雑音を防ぐ不均衡補正領域を有する圧縮機部を備えたターボチャージャーを提供する。【解決手段】ターボチャージャーは内燃機関からの排気ガスを受容するためのタービンホイール部、タービンホイール部に結合されかつタービンホイールにより回転可能であり、縦軸に沿って延長するターボチャージャーシャフト、及びターボチャージャーシャフトに結合されかつターボチャージャーシャフトにより回転可能な圧縮機ホイール部を含む。圧縮機ホイール部は気流と対向する対称形先端エッジ領域、及びターボチャージャーシャフトの不均衡を補正し空力騒音を低減するために対称形先端エッジ領域から縦方向内側に配置されかつ半径方向内側へ延長される不均衡補正領域を含む。【選択図】なし【特許請求の範囲】
【請求項１】
ターボチャージャーであって：
内燃機関からの排気ガスを受容するためのタービンホイール部；
前記タービンホイール部に結合されかつ前記タービンホイール部により回転可能であり、縦軸に沿って延長するターボチャージャーシャフト；及び
前記ターボチャージャーシャフトに結合されかつターボチャージャーシャフトにより回転可能な圧縮機ホイール部を含み、
前記圧縮機ホイール部は：
気流と対向する対称形先端エッジ領域；及び
前記対称形先端エッジ領域から縦方向内側に配置された不均衡補正領域であって、前記ターボチャージャーシャフトの不均衡を補正し空力騒音を低減するために前記不均衡補正領域の反対側面上の１つの個体壁を横切って半径方向内側へ延長する平面形状及びアーチ形状のうちいずれかとして定義される、不均衡補正領域を含む、ターボチャージャー。
【請求項２】
前記圧縮機ホイール部は前記ターボチャージャーシャフト周囲に配置されかつ前記ターボチャージャーシャフトに結合された圧縮機ホイールを含む、請求項１に記載のターボチャージャー。
【請求項３】
前記圧縮機ホイールは前記タービンホイール部と対向するホイール端部から、前記縦軸に沿い、前記ホイールから縦方向に離隔されかつ前記気流と対向するノーズ端部まで延長される、請求項２に記載のターボチャージャー。
【請求項４】
前記ノーズ端部は前記対称形先端エッジ領域を含む、請求項３に記載のターボチャージャー。
【請求項５】
前記圧縮機ホイール部は前記圧縮機ホイールに隣接して前記ターボチャージャーシャフトに結合された圧縮機ナットを含む、請求項２または請求項３に記載のターボチャージャー。
【請求項６】
前記圧縮機ナットは前記圧縮機ホイールに隣接して前記ターボチャージャーシャフト周囲に配置された均衡部及び前記均衡部に隣接して前記ターボチャージャーシャフト周囲に配置されかつ前記ターボチャージャーシャフトに結合されたファスナー部を含み、前記均衡部が前記ファスナー部と前記圧縮機ホイールの間に配置され、前記圧縮機ホイールを前記ターボチャージャーシャフトに固定する、請求項５に記載のターボチャージャー。
【請求項７】
前記ファスナー部は前記対称形先端エッジ領域を含み、前記不均衡補正領域を有しない、請求項６に記載のターボチャージャー。
【請求項８】
前記均衡部は略円筒形状である、請求項６または請求項７に記載のターボチャージャー。
【請求項９】
ターボチャージャーであって：
内燃機関からの排気ガスを受容するためのタービンホイール部；
前記タービンホイール部に結合されかつ前記タービンホイール部により回転可能であり、縦軸に沿って延長するターボチャージャーシャフト；及び
前記ターボチャージャーシャフトに結合されかつ前記ターボチャージャーシャフトにより回転可能な圧縮機ホイール部を含み、
前記圧縮機ホイール部は：
気流と対向する対称形先端エッジ領域；及び
前記ターボチャージャーシャフトの不均衡を補正し空力騒音を低減するために前記対称形先端エッジ領域から縦方向内側に配置されかつ半径方向内側へ延長される不均衡補正領域を含み、
前記圧縮機ホイール部は前記ターボチャージャーシャフト周囲に配置されかつ前記ターボチャージャーシャフトに結合された圧縮機ホイールを含み、
前記圧縮機ホイール部は前記圧縮機ホイールに隣接して前記ターボチャージャーシャフトに結合された圧縮機ナットを含み、
前記圧縮機ナットは前記圧縮機ホイールに隣接して前記ターボチャージャーシャフト周囲に配置された均衡部及び前記均衡部に隣接して前記ターボチャージャーシャフト周囲に配置されかつ前記ターボチャージャーシャフトに結合されたファスナー部を含み、前記均衡部が前記ファスナー部と前記圧縮機ホイールの間に配置され、前記圧縮機ホイールを前記ターボチャージャーシャフトに固定し、
前記不均衡補正領域は前記均衡部内に半径方向へ延長されるか、
前記不均衡補正領域は前記均衡部を横切って延長する平面形状及びアーチ形状のうちいずれかとして定義される、ターボチャージャー。
【請求項１０】
前記均衡部は半径方向へ延長され、前記ファスナー部は該距離が前記均衡部の半径方向距離を超過して半径方向へ延長される、請求項６〜９のいずれか一項に記載のターボチャージャー。
【請求項１１】
ターボチャージャーであって：
内燃機関からの排気ガスを受容するためのタービンホイール；
前記タービンホイールに結合されかつ前記タービンホイールにより回転可能であり、縦軸に沿って延長し、ねじ部を有するターボチャージャーシャフト；及び
圧縮空気を前記内燃機関に伝達するために前記ターボチャージャーシャフトに結合されかつ前記ターボチャージャーシャフトにより回転可能な圧縮機ホイールであって、前記タービンホイールと対向するホイール端部から、前記縦軸に沿い、前記ホイール端部から縦方向に離隔される気流と対向するノーズ端部まで延長され、前記ねじ部と螺入されたねじ孔を有する、前記圧縮機ホイールを含み、
前記ノーズ端部は前記気流と対向する対称形先端エッジ領域、及び前記ターボチャージャーシャフトの不均衡を補正し空力音響雑音を低減するために前記対称形先端エッジ領域から縦方向内側に配置されかつ半径方向内側へ延長される不均衡補正領域を含む、ターボチャージャー。
【請求項１２】
ターボチャージャーであって：
内燃機関からの排気ガスを受容するためのタービンホイール；
前記タービンホイールに結合されかつ前記タービンホイールにより回転可能であり、縦軸に沿って延長するターボチャージャーシャフト；
圧縮空気を前記内燃機関に伝達するために前記ターボチャージャーシャフトに結合されかつ前記ターボチャージャーシャフトにより回転可能な圧縮機ホイールであって、前記タービンホイールと対向するホイール端部から、前記縦軸に沿い、前記ホイール端部から縦方向に離隔される気流と対向するノーズ端部まで延長される、前記圧縮機ホイール；及び
前記圧縮機ホイールの前記ノーズ端部に隣接して前記ターボチャージャーシャフト周囲に配置された均衡部、及び前記均衡部に隣接して前記ターボチャージャーシャフト周囲に配置されかつ前記ターボチャージャーシャフトに結合されたファスナー部を含み、前記バランス部が前記ファスナー部と前記圧縮機ホイールの前記ノーズ端部の間に配置され、前記圧縮機ホイールを前記ターボチャージャーシャフトに固定する圧縮機ナットを含み、
前記ファスナー部は前記気流と対向する対称形先端エッジ領域を有し、前記均衡部は前記ターボチャージャーシャフトの不均衡を補正し空力音響雑音を低減するために対称形先端エッジ領域から縦方向内側に配置されかつ半径方向内側へ延長される、ターボチャージャー。
【請求項１３】
前記不均衡補正領域は前記均衡部を横切って延長する平面形状及びアーチ形状のうちいずれかとして定義される、請求項１２に記載のターボチャージャー。
【請求項１４】
前記均衡部は半径方向へ延長し、前記ファスナー部は該距離が前記均衡部の半径方向距離を超過して半径方向へ延長される、請求項１２または請求項１３に記載のターボチャージャー。
【請求項１５】
前記ファスナー部が前記対称形先端エッジ領域を含み、前記不均衡補正領域を有しないか、前記均衡部が略円筒形状である、請求項９に記載のターボチャージャー。
【発明の詳細な説明】
【技術分野】
【０００１】
本発明は一般的にターボチャージャーに関するものとして、より具体的にはNVH及びローター安定性を改善するための不均衡補正領域を有する圧縮機部を備えたターボチャージャーに関するものである。
【背景技術】
【０００２】
自動車のような車両のエンジン用ターボチャージャーを提供することが知られている。自動車のターボチャージャーは通常的にセンターハウジング内のベアリングにより支持される共通のターボチャージャーシャフト上に圧縮機ホイール及びタービンホイールからなる。ターボチャージャーは排気ガス中のエネルギーの一部を抽出し、該出力を圧縮機ホイールに伝達する。圧縮機ホイールはエンジンへの吸入空気密度を増加することにより、エンジン出力を増加させる。
【０００３】
一部のターボチャージャーはシャフト上に螺入された圧縮機ホイールを有する。他のターボチャージャーはシャフト周囲に配置された圧縮機ホイール及びシャフトに圧縮機ホイールを固定するための圧縮機ナットを有する。標準圧縮機ナットは不均衡補正を目的とする外側円筒形領域に特徴がある。不均衡補正を有するかかる標準圧縮機ナットは一次脈動雑音のような空力騒音を生成し得る。
【発明の概要】
【発明が解決しようとする課題】
【０００４】
従って、空力騒音を低減するための圧縮機部を備えたターボチャージャーを提供することが望ましい。また、一次脈動雑音を防ぐ不均衡補正を有する圧縮機部を備えたターボチャージャーを提供することが望ましい。更に、一次脈動雑音を防ぐ不均衡補正を備えた圧縮機ナットを含む圧縮機部を備えたターボチャージャーを提供することが望ましい。よって、当技術分野ではこれらの要求の中、少なくとも１つを充足する圧縮機部を備えたターボチャージャーを提供する必要がある。
【課題を解決するための手段】
【０００５】
本発明は、内燃機関からの排気ガスを受容するためのタービンホイール部、タービンホイール部に結合されかつタービンホイール部により回転可能であり、縦軸に沿って延長するターボチャージャーシャフト、及びターボチャージャーシャフトに結合されかつターボチャージャーシャフトにより回転可能な圧縮機ホイール部を含むターボチャージャーを提供する。圧縮機ホイール部は気流と対向する対称形先端エッジ領域、及びターボチャージャーシャフトの不均衡を補正し空力騒音を低減するために対称形先端エッジ領域から縦方向内側に配置され半径方向内側へ延長する不均衡補正領域を含む。
【０００６】
また、本発明は、内燃機関からの排気ガスを受容するためのタービンホイール、タービンホイールに結合されかつタービンホイールにより回転可能であり、縦軸に沿って延長するターボチャージャーシャフト、及び圧縮空気を内燃機関に伝達するためにターボチャージャーシャフトに結合されかつターボチャージャーシャフトにより回転可能な圧縮機ホイールを含むターボチャージャーを提供する。圧縮機ホイールはタービンホイールと対向するホイール端部から、縦方向に沿い、ホイール端部から縦方向へ離隔される気流と対向するノーズ端部まで延長する。ノーズ端部は気流と対向する対称形先端エッジ領域、及びターボチャージャーシャフトの不均衡を補正し空力騒音を低減するために対称形先端エッジ領域から縦方向内側に配置し半径方向内側へ延長する不均衡補正領域を含む。
【０００７】
更に、本発明は、内燃機関からの排気ガスを受容するためのタービンホイール、タービンホイールに結合されかつタービンホイールにより回転可能であり、縦軸に沿って延長するターボチャージャーシャフト、及び圧縮空気を内燃機関に伝達するためにターボチャージャーシャフトに結合されかつターボチャージャーシャフトにより回転可能な圧縮機ホイールを含むターボチャージャーを提供する。圧縮機ホイールはタービンホイールと対向するホイール端部から、縦軸に沿い、ホイール端部から縦方向へ離隔される気流と対向するノーズ端部まで延長する。また、ターボチャージャーは、圧縮機ホイールのノーズ端部に隣接してターボチャージャーシャフト周囲に配置されたバランス部及びバランス部に隣接してターボチャージャーシャフト周囲に配置されかつターボチャージャーシャフトに結合されたファスナー部を有する圧縮機ナットを含み、バランス部がファスナー部と圧縮機ホイールのノーズ端部に配置され、圧縮機ホイールをターボチャージャーシャフトに固定させる。ファスナー部は気流と対向する対称形先端エッジ領域を有し、バランス部はターボチャージャーシャフトの不均衡を補正して空力騒音を低減するために対称形先端エッジ領域から縦方向内側に配置されかつ半径方向内側へ延長する不均衡補正領域を有する。
【発明の効果】
【０００８】
本発明の１つの利点は、NVH及びローター安定性を改善するための不均衡補正領域を有する圧縮機部を備えたターボチャージャーを提供することである。本発明の別の利点は、圧縮機部が脈動雑音または他の空力騒音問題を発生させない対称形先端エッジ領域を有することである。本発明の更に別の利点は、圧縮機部が先端エッジ連続性を保存するために外側エッジまたは対称形先端エッジ領域から縦方向内側に配置された不均衡補正領域を有することである。本発明の更に別の利点は、対称形先端エッジ領域が、空力騒音の原因となる気流の撹乱を引き起こすことからバランスカットのような不均衡補正領域を保護するのに用いられることである。本発明の更なる利点は、圧縮機部が対称形先端エッジ領域から縦方向内側の任意の領域に配置された不均衡補正領域を有し得ることである。
【０００９】
本発明の他の目的、特徴、及び利点は、添付の図面と共に以降の説明を読むと、より一層理解できるため、容易に認識するであろう。
【図面の簡単な説明】
【００１０】
【図１】図１は、本発明の一実施形態によるターボチャージャーの断面図である。
【図２】図２は、図１のターボチャージャーの一部の拡大図である。
【図３】図３は、図２の部分の一端部の拡大図である。
【図４】図４は、本発明の別の実施形態によるターボチャージャーの断面図である。
【図５】図５は、図４のターボチャージャーの一部の拡大図である。
【図６】図６は、図５の部分の一端部の拡大図である。
【図７】図７は、圧縮機ナットを図示する図５の部分の一端部の立面図である。
【図８】図８は、図７の圧縮機ナットの斜視図である。
【図９】図９は、本発明の更なる実施形態によるターボチャージャーの断面図である。
【図１０】図１０は、図９のターボチャージャーの一部の拡大図である。
【図１１】図１１は、図１０の部分の一端部の拡大図である。
【図１２】図１２は、圧縮機ナットを図示する図１０の部分の一端部の立面図である。
【図１３】図１３は、図１２の圧縮機ナットの斜視図である。
【図１４】図１４は、図４及び図９のターボチャージャー用圧縮機ナットに対する半径方向の深い不均衡補正のグラフである。
【発明を実施するための形態】
【００１１】
図面を参照すると、別に表示しない限り、類似番号が類似構成を標記することに用いられ、本発明の一実施形態によるターボチャージャー２０を図１〜図３に示す。図１に示すように、ターボチャージャー２０はタービンハウジング２４、シャフトハウジング２６、及び圧縮機ハウジング２８を有する、概略的に２２に示すハウジングを含む。タービンハウジング２６は内燃機関（図示せず）からの排気ガスを受容するためのタービン排気ガス入口３０及びタービン排気ガス出口３２を有する。圧縮機ハウジング２８は矢印で示すように周囲気流を受容するための圧縮機周囲空気入口３４及び圧縮空気を内燃機関に伝達するための圧縮機空気排出出口（図示せず）を有する。また、ターボチャージャー２０は、タービンハウジング２６内に配置された、概略的に３６に示す回転式タービン部、及び圧縮機ハウジング２８内に配置された、概略的に３８に示す回転式圧縮機部を含む。ターボチャージャー２０はタービン部３６及び圧縮機部３８に結合されかつシャフトハウジング２６内にベアリングにより回転可能に支持される回転式ターボチャージャーシャフト４０を更に含む。ターボチャージャーの一例がKingによる米国特許出願公開第２０１５／０２１９１２１号に開示されており、該全文は本明細書に明確に参考として含まれていることを認識するべきである。
【００１２】
図２及び図３を参照すると、ターボチャージャーシャフト４０は、縦軸Ａに沿って延長される。タービン部３６は、シャフト及びホイールアセンブリとなるターボチャージャーシャフト４０の一端部に堅固に付着されたタービンホイール４２を含む。圧縮機部３８は、「スタブシャフト（ｓｔｕｂ  ｓｈａｆｔ）」４６と呼ばれるターボチャージャーシャフト４０の他端部に結合された圧縮機ホイール４４を含む。図示の実施形態において、圧縮機ホイール４４は、複数のねじ山４８によりスタブシャフト４６と螺入される。圧縮機ホイール４４はタービン部３６と対向するホイール端部５０と圧縮機周囲空気入口３４へ流れる周囲気流と対向するノーズ端部５２の間で縦方向に延長される。ノーズ端部５２は略円筒形状である。圧縮機部３８は圧縮機周囲空気入口３４へ流れる周囲気流と対向する対称形先端エッジ領域５４を含む。図示の実施形態において、圧縮機ホイール４４のノーズ端部５２は対称形先端エッジ領域５４を含む。また、圧縮機部３８はターボチャージャーシャフト４０の不均衡を補正するために半径方向内側へ延長される不均衡補正領域５６を含む。不均衡補正領域５６は不均衡を補正するために多量除去される。不均衡補正領域５６は、対称形先端エッジ領域５４の連続性を保存し不均衡補正領域５６が一次脈動雑音または他の空力騒音問題を引き起こすことを防ぐために対称形先端エッジ領域５４から縦方向内側に配置される。図示の実施形態において、不均衡補正領域５６は圧縮機ホイール４４のノーズ端部５２内に半径方向に切断する。切断深さは不均衡を補正するためにどれくらい多い量を除去する必要があるかにより異なる。多様な実施形態において、不均衡補正領域５６はボールエンドミル、フラットエンドミル、グラインディングホイールなどにより形成される。不均衡補正領域５６は圧縮機ホイール４４のノーズ端部５２を横切って延長する平面形状またはアーチ形状として定義される。不均衡補正領域５６は対称形先端エッジ領域５４から縦方向内側の任意の領域内に配置されることを認識するべきである。また、対称形先端エッジ領域５４の均一性は不均衡補正領域５６が対称形先端エッジ領域５４から縦方向内側に配置されることにより保存されることを認識するべきである。更に、対称形先端エッジ領域５４は空力騒音の原因となる気流の攪乱を引き起こすことから不均衡補正領域５６を保護するのに用いられることを認識するべきである。
【００１３】
図４〜図８を参照すると、本発明によるターボチャージャー２０の別の実施形態を図示している。図１〜図３の類似部分は類似参照番号を有する。ターボチャージャー２０の該実施形態において、圧縮機部３８はスタブシャフト４６周囲に配置された圧縮機ホイール４４、及び複数のねじ山６２によりスタブシャフト４６と螺入された、概略的に６０に示す圧縮機ナットを含む。圧縮機ホイール４４は圧縮機ナット６０からのクランプ荷重により所定の位置に保持される。図示の実施形態において、圧縮機ナット６０は圧縮機ホイール４４のノーズ端部５２に隣接してスタブシャフト４６周囲に配置された均衡部６４を含む。また、圧縮機ナット６０は均衡部６４に隣接してねじ山６２によりスタブシャフト４６周囲に配置されかつスタブシャフト４６に結合されたファスナー部６６を含み、均衡部６４がファスナー部６６と圧縮機ホイール４４のノーズ端部５２の間で縦方向に配置されるようにする。ファスナー部６６は対称形先端エッジ領域５４を含み、不均衡補正領域５６を有しない。一実施形態において、ファスナー部６６は六角形の形状であるが、任意の適切な対称形の形状であってもよい。均衡部６４は略円筒形状である。不均衡補正領域５６はターボチャージャーシャフト４０の不均衡を補正するために均衡部６４内に半径方向へ延長される。不均衡補正領域５６は均衡部６４を横切って縦方向及び横方向に延長する平面形状またはアーチ形状として定義される。一実施形態において、不均衡補正領域５６は２．０ミリメートルの幅及び１．５５ミリメートルの深さを有する。均衡部６４は半径方向へ延長され、ファスナー部６６は該距離が均衡部６４の半径方向距離を超過して半径方向へ延長される。圧縮機ナット６０は金属のような硬質材料から製造する。圧縮機ナット６０は一体形、統合形、及びワンピースである。また、対称形先端エッジ領域５４の均一性は対称形先端エッジ領域５４から縦方向内側に配置された不均衡補正領域５６により保持されることを認識するべきである。更に、対称形先端エッジ領域５４は空力騒音の原因となる気流の攪乱を引き起こすことから不均衡補正領域５６を保護し防止するのに用いられることを認識するべきである。
【００１４】
図９〜図１３を参照すると、本発明によるターボチャージャー２０の更なる実施形態を示す。図４〜図８の類似部分は類似参照番号を有する。ターボチャージャー２０の該実施形態において、圧縮機部３８はスタブシャフト４６周囲に配置された圧縮機ホイール４４、及び複数のねじ山６２によりスタブシャフト４６と螺入された、概略的に６０に示す圧縮機ナットを含む。圧縮機ホイール４４は圧縮機ナット６０からのクランプ荷重により所定の位置に保持される。図示の実施形態において、圧縮機ナット６０はスタブシャフト４６周囲に配置された均衡部６４を含む。また、圧縮機ナット６０は均衡部６４の各縦方向端部に隣接してねじ山６２によりスタブシャフト４６周囲に配置されかつスタブシャフト４６に結合された第１ファスナー部６６及び第２ファスナー部６８を含み、均衡部６４が第１ファスナー部６６と第２ファスナー部６８の間に配置され、第２ファスナー部６８が圧縮機ホイール４４のノーズ端部５２に隣接して配置されるようにする。第１ファスナー部６６は対称形先端エッジ領域５４を含み、不均衡補正領域５６を有しない。一実施形態において、第１ファスナー部６６及び第２ファスナー部６８は六角形の形状であるが、任意の適切な対称形の形状であってもよい。均衡部６４は略円筒形状である。不均衡補正領域５６はターボチャージャーシャフト４０の不均衡を補正するために均衡部６４内に半径方向へ延長される。不均衡補正領域５６は均衡部６４を横切って縦方向及び横方向に延長する平面形状またはアーチ形状として定義され得る。一実施形態において、不均衡補正領域５６は２．０ミリメートルの幅及び１．５５ミリメートルの深さを有し得る。均衡部６４は半径方向へ延長され、第１ファスナー部６６及び第２ファスナー部６８は該距離が均衡部６４の半径方向距離を超過して半径方向へ延長される。圧縮機ナット６０は金属のような硬質材料から製造する。圧縮機ナット６０は一体形、統合形、及びワンピースである。また、対称形先端エッジ領域５４の均一性は対称形先端エッジ領域５４から縦方向内側に配置された不均衡補正領域５６により保持されることを認識するべきである。更に、対称形先端エッジ領域５４は空力騒音の原因となる気流の攪乱を引き起こすことから不均衡補正領域５６を保護し防止するのに用いられることを認識するべきである。
【００１５】
図１４を参照すると、ターボチャージャー２０の圧縮機ナット６０に対する半径方向深さの不均衡補正のグラフ７０を示す。グラフ７０は縦軸７２がデシベル振幅（脈動）であり、横軸７４がｒｐｍ（回転速度）である。また、グラフ７０は半径方向深さのプロット７６、７８、及び８０を含む。プロット７６は圧縮機ホイールの外側に配置された１ミリメートル半径方向の深いフラットカット（ｆｌａｔ  ｃｕｔ）である。プロット８０は圧縮機ホイールの内側に配置された１ミリメートル半径方向の深いフラットカットである。プロット７８は一次脈動雑音に対し受容可能なものと見なされる２０ｍｇカットである。プロット８０においては圧縮機ホイールの内側に位置する半径方向の深いフラットカットを配置することにより、プロット７８の受容可能なものとして見なされるレベル以下に空力騒音を低減することを認識するべきである。
【００１６】
従って、本発明のターボチャージャー２０は一次脈動雑音のような空力騒音を低減するための不均衡補正領域５６を有する圧縮機部３８を提供する。本発明の圧縮機部３８は脈動雑音を発生させない対称形先端エッジ領域５４を有する。本発明の圧縮機部３８は先端エッジの連続性を保存するために外側エッジまたは対称形先端エッジ領域５４から縦方向内側に配置された不均衡補正領域５６を有する。本発明の対称形先端エッジ領域５４は空力騒音の原因となる気流の攪乱を引き起こすことから不均衡補正領域５６を保護するのに用いられる。本発明の圧縮機部３８は対称形先端エッジ領域５４から縦方向内側に配置された任意の領域に位置する不均衡補正領域５６を有する。
【００１７】
本発明は例示的な方式により説明している。用いられる用語は制限ではなく説明する単語の性格を有するものとして意図したことであると認識するべきである。
【００１８】
上記の教示に照らし本発明は多くの修正及び変形が可能である。したがって、添付の特許請求の範囲内において、本発明は具体的な記載とは異なった方法で実施され得る。
【００１９】
本発明は添付の特許請求の範囲に定義されるが、以下の実施形態により本発明を別の方法で定義できることを認識するべきである：
【００２０】
１．ターボチャージャーであって：
内燃機関からの排気ガスを受容するためのタービンホイール部；
前記タービンホイール部に結合されかつ前記タービンホイール部により回転可能であり、縦軸に沿って延長するターボチャージャーシャフト；及び
前記ターボチャージャーシャフトに結合されかつターボチャージャーシャフトにより回転可能な圧縮機ホイール部を含み、
前記圧縮機ホイール部は：
気流と対向する対称形先端エッジ領域；及び
前記対称形先端エッジ領域から縦方向内側に配置された不均衡補正領域であって、前記ターボチャージャーシャフトの不均衡を補正し空力騒音を低減するために半径方向内側へ延長する、不均衡補正領域を含む、ターボチャージャー。
【００２１】
２．前記圧縮機ホイール部は前記ターボチャージャーシャフト周囲に配置されかつ前記ターボチャージャーシャフトに結合された圧縮機ホイールを含む、実施形態１に記載のターボチャージャー。
【００２２】
３．前記圧縮機ホイールは前記タービンホイール部と対向するホイール端部から、前記縦軸に沿い、前記ホイールから縦方向に離隔されかつ気流と対向するノーズ端部まで延長される、実施形態２に記載のターボチャージャー。
【００２３】
４．前記ノーズ端部は前記対称形先端エッジ領域を含む、実施形態３に記載のターボチャージャー。
【００２４】
５．前記圧縮機ホイール部は前記圧縮機ホイールに隣接して前記ターボチャージャーシャフトに結合された圧縮機ナットを含む、実施形態２または実施形態３に記載のターボチャージャー。
【００２５】
６．前記圧縮機ナットは前記圧縮機ホイールに隣接して前記ターボチャージャーシャフト周囲に配置された均衡部及び前記均衡部に隣接して前記ターボチャージャーシャフト周囲に配置されかつ前記ターボチャージャーシャフトに結合されたファスナー部を含み、前記均衡部が前記ファスナー部と前記圧縮機ホイールの間に配置され、前記圧縮機ホイールを前記ターボチャージャーシャフトに固定する、実施形態５に記載のターボチャージャー。
【００２６】
７．前記ファスナー部は前記対称形先端エッジ領域を含み、前記不均衡補正領域を有しない、実施形態６に記載のターボチャージャー。
【００２７】
８．前記均衡部は略円筒形状である、実施形態６または実施形態７に記載のターボチャージャー。
【００２８】
９．前記不均衡補正領域は前記均衡部内に半径方向へ延長される、実施形態６〜８のいずれか１つに記載のターボチャージャー。
【００２９】
１０．前記不均衡補正領域は前記均衡部を横切って延長する平面形状及びアーチ形状のうちいずれかとして定義される、実施形態６〜９のいずれか１つに記載のターボチャージャー。
【００３０】
１１．前記均衡部は半径方向へ延長され、前記ファスナー部は該距離が前記均衡部の半径方向距離を超過して半径方向へ延長される、実施形態６〜１０のいずれか１つに記載のターボチャージャー。
【００３１】
１２．ターボチャージャーであって：
内燃機関からの排気ガスを受容するためのタービンホイール；
前記タービンホイールに結合されかつ前記タービンホイールにより回転可能であり、縦軸に沿って延長する、ターボチャージャーシャフト；及び
圧縮空気を内燃機関に伝達するために前記ターボチャージャーシャフトに結合されかつ前記ターボチャージャーシャフトにより回転可能な圧縮機ホイールであって、前記タービンホイールと対向するホイール端部から、前記縦軸に沿い、前記ホイール端部から縦方向に離隔される気流と対向するノーズ端部まで延長される、前記圧縮機ホイールを含み、
前記ノーズ端部は気流と対向する対称形先端エッジ領域、及び前記ターボチャージャーシャフトの不均衡を補正し空力音響雑音を低減するために前記対称形先端エッジ領域から縦方向内側に配置されかつ半径方向内側へ延長される不均衡補正領域を含む、ターボチャージャー。
【００３２】
１３．ターボチャージャーであって：
内燃機関からの排気ガスを受容するためのタービンホイール；
前記タービンホイールに結合されかつ前記タービンホイールにより回転可能であり、縦軸に沿って延長するターボチャージャーシャフト；
圧縮空気を内燃機関に伝達するために前記ターボチャージャーシャフトに結合されかつ前記ターボチャージャーシャフトにより回転可能な圧縮機ホイールであって、前記タービンホイールと対向するホイール端部から、前記縦軸に沿い、前記ホイール端部から縦方向に離隔される気流と対向するノーズ端部まで延長される、前記圧縮機ホイール；及び
前記圧縮機ホイールの前記ノーズ端部に隣接して前記ターボチャージャーシャフト周囲に配置された均衡部、及び前記均衡部に隣接して前記ターボチャージャーシャフト周囲に配置されかつ前記ターボチャージャーシャフトに結合されたファスナー部を含み、前記バランス部が前記ファスナー部と前記圧縮機ホイールの前記ノーズ端部の間に配置され、前記圧縮機ホイールを前記ターボチャージャーシャフトに固定する圧縮機ナットを含み、
前記ファスナー部は気流と対向する対称形先端エッジ領域を有し、前記均衡部は前記ターボチャージャーシャフトの不均衡を補正し空力音響雑音を低減するために対称形先端エッジ領域から縦方向内側に配置されかつ半径方向内側へ延長される、ターボチャージャー。
【００３３】
１４．前記不均衡補正領域は前記均衡部を横切って延長する平面形状及びアーチ形状のうちいずれかとして定義される、実施形態１３に記載のターボチャージャー。
【００３４】
１５．前記均衡部は半径方向へ延長し、前記ファスナー部は該距離が前記均衡部の半径方向距離を超過して半径方向へ延長される、実施形態１３または実施形態１４に記載のターボチャージャー。
【図１】
2018179004.tif 000002
【図２】
2018179004.tif 000003
【図３】
2018179004.tif 000004
【図４】
2018179004.tif 000005
【図５】
2018179004.tif 000006
【図６】
2018179004.tif 000007
【図７】
2018179004.tif 000008
【図８】
2018179004.tif 000009
【図９】
2018179004.tif 000010
【図１０】
2018179004.tif 000011
【図１１】
2018179004.tif 000012
【図１２】
2018179004.tif 000013
【図１３】
2018179004.tif 000014
【図１４】
2018179004.tif 000015
【外国語明細書】
2018179004000001.pdf